(57)【要約】【課題】スライド式ドームのレール部分の構造を改良することにより、利用者が遠赤外線温熱器のドーム内に横になったまま、片手で該ドームを前後方向に簡単に移動できる構造の遠赤外線温熱器を提供する。【解決手段】内部に遠赤外線発熱体を備えた大ドーム及び小ドームからなる遠赤外線温熱器であって、大ドームは小ドームを覆う状態で前後方向に移動可能であり、移動しない小ドームの両側面下端部にはそれぞれレール枠体が固定され、該小ドームを覆う大ドームの両側面下端部にはそれぞれ橇枠体が固定され、該橇枠体と前記レール枠体との間で滑動可能とされている。【選択図】図１
2007105074.tif 000002
【特許請求の範囲】
【請求項１】
それぞれ内部に遠赤外線発熱体を備えた大ドーム及び小ドームからなる遠赤外線温熱器であって、大ドームは小ドームを覆う状態で前後方向に移動可能であり、移動しない小ドームの両側面下端部にはそれぞれレール枠体が固定され、該小ドームを覆う大ドームの両側面下端部にはそれぞれ橇枠体が固定され、該橇枠体と前記レール枠体との間で滑動可能とされていることを特徴とする遠赤外線温熱器用ドームのレール構造。
【請求項２】
上記レール枠体と上記橇枠体とは、それぞれレール台木及び橇台木を有しており、該橇台木が前記レール台木の上に載置されていることを特徴とする請求項１記載の遠赤外線温熱器用ドームのレール構造。
【請求項３】
上記レール枠体の前後端部にはそれぞれレール駒が、上記橇枠体の後端部には橇駒が固定されていることを特徴とする請求項１又は２記載の遠赤外線温熱器用ドームのレール構造。
【請求項４】
上記レール台木及び橇台木は硬質木材で構成されていることを特徴とする請求項２又は３記載の遠赤外線温熱器用ドームのレール構造。
【発明の詳細な説明】
【技術分野】
【０００１】
本発明は、遠赤外線を利用したドーム形温熱器の改良に係り、特に、小ドームを覆ってスライド自在な大ドームが設けられ、該大ドームを小ドームに対して円滑にスライドできるように構成した、レール部分の構造に関する。
【背景技術】
【０００２】
図６及び図７は、例えば下記特許文献1に示すごとき従来公知の遠赤外線美容健康器１の概略構造を示しており、図６に示すように複数のマット６，６の上に載置された後カバー３と、該後カバー３の上方を覆って前後方向に移動自在な前カバー２とを有している。そして、これらの前カバー２及び後カバー３はそれぞれその内面に、遠赤外線放射体５を有する面状発熱体４が設けられていて、マット６，６上に横臥した体の脚部側から、概略首部分まで前カバー２を引き上げることによって全身を覆うことができる。なお、図中の符号8は枕を、符号9はネックカバーをそれぞれ示している。
図７は上記前カバー２の一部断面を示す正面図であって、ドームの内面に面状発熱体４を有するとともに、両側面の下端には合成樹脂製のレール７，７が取り付けられていて、マット６，６の表面を滑ることにより該前カバー２の前後への移動をスムーズにしている。
【０００３】
ところで、このような特許文献１に記載のごときドームにあっては、上記前カバー２の両側面下端に設けられたレール７，７が前後移動の際にマット６，６の表面上を滑る構造であり、マット６，６の表面が柔軟であるからスムーズな滑りが得られない欠点があった。すなわち、柔軟なマット表面と前カバー２のレール７，７との間の摩擦力が大きく、しかもマット表面が変形するために、可成り重量のある前カバー２を簡単に移動することが困難な状態であった。
【特許文献１】実用新案登録第３０４４８３０号公報
【発明の開示】
【発明が解決しようとする課題】
【０００４】
本発明は、このような点に鑑みてなされたものであって、スライド式ドームのレール部分の構造を改良することにより、利用者が遠赤外線温熱器のドーム内に横になったまま、片手で該ドームを前後方向に簡単に移動できる構造の遠赤外線温熱器を提供するものである。
【課題を解決するための手段】
【０００５】
本発明は、それぞれ内部に遠赤外線発熱体を備えた大ドーム及び小ドームからなる遠赤外線温熱器であって、大ドームは小ドームを覆う状態で前後方向に移動可能であり、移動しない小ドームの両側面下端部にはそれぞれレール枠体が固定され、該小ドームを覆う大ドームの両側面下端部にはそれぞれ橇枠体が固定され、該橇枠体と前記レール枠体との間で滑動可能とされていることを特徴とする遠赤外線温熱器用ドームのレール構造である。
また、レール枠体と橇枠体とはそれぞれレール台木及び橇台木を有し、該橇台木が前記レール台木の上に載置され、レール枠体の前後端部にはそれぞれレール駒が、橇枠体の後端部には橇駒が固定されている。
【発明の効果】
【０００６】
本発明の遠赤外線温熱器１０によれば、大ドーム１１及び小ドーム１２の左右それぞれの側面下端にレール枠体１３及び橇枠体１７が取り付けられ、大ドーム１１の橇枠体１７を構成する橇台木１８が小ドーム１２のレール枠体１３を構成するレール台木１４上を滑動することにより摩擦力が軽減され、更に、マット表面や布団の表面等のような柔軟な台上を滑る距離が短くなるので、極めて簡単に且つ小さな力で大ドームを前後移動させることができる。
【発明を実施するための最良の形態】
【０００７】
本発明の１つの実施形態について図１乃至図５に基づいて説明する。
図１は、本発明の遠赤外線温熱器１０に係る外観斜視図であって、利用者の脚側に位置する小ドーム１２の上方に、利用者の胸側を覆う大ドーム１１が覆い被さる形で、しかも大ドーム１１が前後に摺動する構造であるが、このような構造自体は、例えば上記の先行技術等のものと同様である。
また、これら大ドーム１１及び小ドーム１２の内部構造についても、概略上記公知例のものと同一であって、この点は格別新規構造ではない。
【０００８】
図１乃至図３に示すように、大ドーム１１及び小ドーム１２のそれぞれの左右側面下端部には、レール枠体１３及び橇枠体１７が取り付けられている。そして、従来のものと同様に小ドーム１２はベッドＢ（図３参照）又はマット上に載置又は固定され、その外側を大ドーム１１がベッドＢの下方位置又は利用者の略腰位置から首位置まで、前後方向に摺動往復することができる。また、大ドーム１１及び小ドーム１２のそれぞれには、そのドーム内側に面状発熱体及び遠赤外線放射体が設けられている。
【０００９】
そして、図３に明らかなように、小ドーム１２の両側下端に固定されたレール枠体１３を構成するレール台木１４の上面に、同じく大ドーム１１の両側下端に固定された橇枠体１７を構成する橇台木１８が乗った形で、大ドーム１１が小ドーム１２の上方で滑動するものである。従って、大ドーム１１の両側下部は後述するごとく、ベッド上方にそのドーム長さの約半分の位置まで、上記レール枠体１３のレール台木１４上を移動し、それを過ぎると、大ドーム１１の先端部がベッド上面に軽く接触しながら、更に前方に、すなわち利用者の首位置あたりまで移動するものである。
【００１０】
図４の（ａ），（ｂ）は、それぞれ上記レール枠体１３及び橇枠体１７の各一方側の構成を示している。すなわち、図４の（ａ）は、図１又は図３における小ドーム１２の紙面左側のレール枠体１３を示しとおり、しかしながら、紙面右側のレール枠体１３も構成部材は同一であり、単に左右対称的に構成されているものである。
該図から明らかなように、レール台木１４の上面にそれより巾寸法が小さいレール巾木１５が重ねて固定され、また、レール巾木１５の側面にはその前後端にレール駒１６，１６が固定されるものである。ここで、レール駒１６の形状は略三角形又は台形である。
【００１１】
図４の（ｂ）は、図１又は図３における大ドーム１１の紙面左側の橇枠体１７を示しており、幅広の橇台木１８の下面にやや巾狭の橇巾木１９が固定され、その橇台木１８の後部側面に１個の橇駒２０が固定される。そして、該橇駒２０は図示のごとく台形であって、その前後部斜面の傾斜角は上記レール駒１６の斜面傾斜角と互いに補角の関係にある。
また、上記橇巾木１９の厚さがレール台木１４の厚さより薄く構成されているので、上記図３に示すように橇枠体１７がレール枠体１３上を滑動中は、大ドーム１１の橇枠体１７の一部を構成する橇巾木１９の下面が、ベッドＢの上面と接触することがない。
【００１２】
図５は、上記図４に示したレール枠体１３及び橇枠体１７を実際に各ドームに取り付けた関係に付合わせた状態を示している。すなわち、レール枠体１３のレール台木１４の上面に橇枠体１７の橇台木１８の下面が載置された関係で、橇枠体１７に設けられた橇駒２０が、レール枠体１３の両端に設けられたレール駒１６，１６の間で移動可能であるとともに、該レール駒１６，１６がストッパーの役目を果たすものである。
【００１３】
このような構成のレール枠体１３及び橇枠体１７を設けた各ドーム１１，１２は、遠赤外線温熱器１０の横断面視で図３のごとき配置となるので、重量の大きな大ドーム１１が、その重量を全て小ドームのレール台木１４により支えられており、例えばこれらのレール台木１４及び橇台木１８を硬質の木材製とすることによって、硬質な木材同士が接触することとなり、極めて円滑に滑動させることができる。
【図面の簡単な説明】
【００１４】
【図１】本発明の遠赤外線温熱器１０の外観斜視図である。
【図２】図１に示す遠赤外線温熱器１０の、各ドームを格納した状態の外観斜視図である。
【図３】図２の遠赤外線温熱器１０の横断面図である。
【図４】レール枠体１３及び橇枠体１７の展開説明図である。
【図５】レール枠体１３及び橇枠体１７の係合関係説明図である。
【図６】従来公知の遠赤外線温熱器の斜視図である。
【図７】図６に示す前カバー２の横断面図である。
【符号の説明】
【００１５】
１０  遠赤外線温熱器
１１  大ドーム
１２  小ドーム
１３  レール枠体
１４  レール台木
１５  レール巾木
１６  レール駒
１７  橇枠体
１８  橇台木
１９  橇巾木
２０  橇駒
【図１】
2007105074.tif 000003
【図２】
2007105074.tif 000004
【図３】
2007105074.tif 000005
【図４】
2007105074.tif 000006
【図５】
2007105074.tif 000007
【図６】
2007105074.tif 000008
【図７】
2007105074.tif 000009